(57)【要約】【課題】ダンパーが下側吹出し通路を確実に閉じて、ドレンパンの下面などに結露した露が付着しないようにして、室内に放出しないようにすること。【解決手段】使用者の選択により、上のクロスフローファン４のみが運転すると、室内空気が前面吸込み口８と側面吸込み口９からハウジング２内に流入して、熱交換器３で冷却されて冷気になる。この冷気はクロスフローファン４に導かれ、上側吹出し通路２０を通って上吹出し口１０から室内へと吹出される。このとき、制御装置により回転指令を受けた両ステッピングモータ４６が同期して回転し、ダンパー４２を上方へ回転させ、下側吹出し通路２１を閉じる。このとき、両ステッピングモータ４６によりダンパー４２はシール材４１を変形させて圧縮するまで移動した後、両ステッピングモータ４６が停止して、ダンパー４２が下側吹出し通路２１を閉じる。【選択図】図１０
2010276247.tif 000002
【特許請求の範囲】
【請求項１】
吸込み口からハウジング内に流入した空気を熱交換器で熱交換して、上下一対の送風機により上側吹出し通路を介して上吹出し口及び下側吹出し通路を介して下吹出し口から吹出すようにした空気調和機において、前記下側吹出し通路を開閉するダンパーの両端部にそれぞれ駆動モータの出力軸を連結して、両駆動モータを同期させて駆動させることにより前記ダンパーを開閉させることを特徴とする空気調和機。
【請求項２】
吸込み口からハウジング内に流入した空気を熱交換器で熱交換して、上下一対の送風機により上側吹出し通路を介して上吹出し口及び下側吹出し通路を介して下吹出し口から吹出すようにした空気調和機において、前記下側吹出し通路の開口周縁部に変形可能なシール材を設けると共に前記下側吹出し通路を開閉するダンパーの両端部にそれぞれ駆動モータの出力軸を連結し、両駆動モータを同期させて駆動させることにより前記ダンパーを揺動させて前記シール材を押圧するように前記下側吹出し通路と閉じることを特徴とする空気調和機。
【発明の詳細な説明】
【技術分野】
【０００１】
本発明は、吸込み口からハウジング内に流入した空気を熱交換器で熱交換して、上下一対の送風機により上側吹出し通路を介して上吹出し口及び下側吹出し通路を介して下吹出し口から吹出すようにした空気調和機に関するものである。
【背景技術】
【０００２】
従来のこの種の空気調和機では、冷房運転時に上吹出し口のみから冷気を室内に供給する場合に、ダンパーをその右部又は左部に設けた１個の駆動モータで回転させて下側吹出し通路を閉じるようにしていたので、左右方向に長いダンパーの駆動モータに近い部分と遠い部分との間でよじれが生じて、下側吹出し通路をダンパーで閉じられない箇所が発生することがあった。
【先行技術文献】
【特許文献】
【０００３】
【特許文献１】特開２００８−３０４１７５号公報
【発明の概要】
【発明が解決しようとする課題】
【０００４】
このため、熱交換器を経ないで下側吹出し通路から除湿されていない湿った室温空気を下側吹出し通路のダンパーで閉じられない箇所から吸い込むと、熱交換器の下方に配設したドレンパンの下面などに結露した露が付着することとなって、好ましくない。また、上の送風機に加えて、下の送風機を運転をさせた際に、前述したように、ドレンパンの下面などに付着した露を室内に放出することとなって、好ましくなかった。
【０００５】
そこで本発明は、ダンパーが下側吹出し通路を確実に閉じて、ドレンパンの下面などに結露した露が付着しないようにして、室内に放出しないようにすることを目的とする。
【課題を解決するための手段】
【０００６】
第１の発明は、吸込み口からハウジング内に流入した空気を熱交換器で熱交換して、上下一対の送風機により上側吹出し通路を介して上吹出し口及び下側吹出し通路を介して下吹出し口から吹出すようにした空気調和機において、前記下側吹出し通路を開閉するダンパーの両端部にそれぞれ駆動モータの出力軸を連結して、両駆動モータを同期させて駆動させることにより前記ダンパーを開閉させることを特徴とする。
【０００７】
第２の発明は、吸込み口からハウジング内に流入した空気を熱交換器で熱交換して、上下一対の送風機により上側吹出し通路を介して上吹出し口及び下側吹出し通路を介して下吹出し口から吹出すようにした空気調和機において、前記下側吹出し通路の開口周縁部に変形可能なシール材を設けると共に前記下側吹出し通路を開閉するダンパーの両端部にそれぞれ駆動モータの出力軸を連結し、両駆動モータを同期させて駆動させることにより前記ダンパーを揺動させて前記シール材を押圧するように前記下側吹出し通路と閉じることを特徴とする。
【発明の効果】
【０００８】
本発明は、ダンパーが下側吹出し通路を確実に閉じて、ドレンパンの下面などに結露した露が付着しないようにして、室内に放出しないようにすることができる。
【図面の簡単な説明】
【０００９】
【図１】空気調和機の室内機の正面図である。
【図２】空気調和機の室内機の斜視図である。
【図３】図１のＡ−Ａ断面図である。
【図４】前面パネルを外した状態の室内機の斜視図である。
【図５】風路形成体、空間補填部材、上吹出しフラップなどの分解斜視図である。
【図６】図３の部分拡大図である。
【図７】図１のＣ−Ｃ断面図である。
【図８】図１のＢ−Ｂ断面図である。
【図９】図３の部分拡大図である。
【図１０】ドレンパン、ダンパーなどの分解斜視図である。
【図１１】ダンパーを閉じた状態の空気調和機の室内機の下部における縦断面せる右側面図である。
【発明を実施するための形態】
【００１０】
以下、本発明を実施するための最良の形態について、図１乃至図１１を参照しながら説明する。図１乃至図３において、１は熱源機となる室外機（図示せず）とともに空気調和機を構成する床置き式の室内機であり、ハウジング２内に熱交換器３と上下一対の送風機としてのクロスフローファン４、５が設けられている。このクロスフローファン４、５はそれぞれ円筒状のファン本体と、この各ファン本体の一側を回転自在に保持するベアリング等から構成される軸受けと、各ファン本体の他側に取り付けられた駆動用モータとからなる。
【００１１】
ハウジング２は前面パネル６と本体ケーシング７とからなり、前面パネル６には前面吸込み口８と側面吸込み口９と上吹出し口１０と下吹出し口１１とが設けられ、上吹出し口１０には運転時に両側面に設けられた支軸１２Ａを支点として回転して開放する上吹出しフラップ１２が設けられている。
【００１２】
また、熱交換器３の前面にはフィルター１４が着脱自在に設置され、熱交換器３の下方には発泡スチロールなどの断熱材１３が収納された皿状のドレンパン１５が設けられている。このドレンパン１５の右側面に形成された斜面１５Ａ下部に斜め下向きに、即ち下方に行くに従って右側外方に向かうようにドレンホース接続部１５Ｂを設け（図４、図１０参照）、ドレンホースの曲げ作業やこの曲げによるドレンホースへのストレスを発生させることなく、ドレンパン１５に流入したドレン水をドレンホース接続部１５Ｂ及びドレンホースを介して滑らかに外部に排出することができる。
【００１３】
本体ケーシング７内の後部には上下一対のクロスフローファン４、５の間に位置する断面がく字状の背面風路ガイド板１７と、この背面風路ガイド板１７の上方に連なって所定間隔を存して上側クロスフローファン４を覆う上側ファンケース１８と、前記背面風路ガイド板１７の下方に連なって所定間隔を存して下側クロスフローファン５を覆う下側ファンケース１９とが配設される。
【００１４】
また、上側クロスフローファン４と上吹出し口１０との間には上側吹出し通路２０を形成する風路形成体２３が配設され、下側クロスフローファン５と下吹出し口１１との間には下側吹出し通路２１が形成されている。そして、前記熱交換器３は上側吹出し通路２０の下方に配設され、この熱交換器３の下方にドレンパン１５が配設される。
【００１５】
前記ハウジング２内の熱交換器３の左右には背面風路ガイド板１７とともに送風路を形成する仕切り板２２が設けられている。そして、前記ドレンパン１５は上側吹出し通路２０の真下に配設された熱交換器３及び左右の仕切り板２２の下方に配置され、この熱交換器３から流下したドレン水や左右の仕切り板２２の外面に付着した露などの水滴を受け止められる。
【００１６】
そして、図５に示すように、前記風路形成体２３は前面及び後面が開口され、大きく分けて底板２３Ｂと両側板２３Ｃと幅狭な上板２３Ｄとから構成される形成体本体２３Ａと、この形成体本体２３Ａの底板２３Ｂの前半部２３ＢＡに取付けられる案内体２３Ｅとから構成される。前記上板２３Ｄ下面には所定間隔を存して複数枚の縦羽根２４が回動可能に取り付けられており、これらの縦羽根２４を連動させて左右に揺動させ左右への吹出し方向が調節できるように構成されている。また、前記上板２３Ｄ下面には前記縦羽根２４の前方に手指挿入防止用のガード体２５が設けられている。
【００１７】
そして、前記上吹出し口１０に連通する上側吹出し通路２０を形成する風路形成体２３の底板２３Ｂ上面は前半部２３ＢＡと後半部２３ＢＢとで高さレベルが異なる段差が形成され、後半部２３ＢＢより低い前半部２３ＢＡ上には冷気を案内する案内体２３Ｅが位置決めされて取り付けられる。即ち、前半部２３ＢＡの左右の中間位置に上下方向に延びて設けられた位置決め片２６が案内体２３Ｅに形成された位置決め溝２７に嵌合するようにして、底板２３Ｂ上に案内体２３Ｅが位置決めされて取り付けられる。
【００１８】
そして、案内体２３Ｅが前半部２３ＢＡ上に前記風路形成体２３の両側板２３Ｃとの間に少し隙間を存するように配設されたときに、案内体２３Ｅの後部２３ＥＡ上面の後端は風路形成体２３の底板２３Ｂの後半部２３ＢＢ前端と同じ高さレベルであり、また案内体２３Ｅの前部には左右端部及び前端部より内方に案内部２３ＥＢが設けられる。図６に示すように、この案内部２３ＥＢの上面には、後方から前方へ向けて徐々に高くなるように傾斜した案内面２３ＥＢＡと、この案内面２３ＥＢＡの前部に形成された水平面２３ＥＢＢとが形成されている。なお、前記案内体２３Ｅの後部２３ＥＡ上面は前方に向けて、即ち案内体２３Ｅの後部２３ＥＡと案内部２３ＥＢとの境界線ＢＬに向けて徐々に低くなるように形成される。
【００１９】
また、前記案内体２３Ｅの左右端部及び前端部には、前記案内部２３ＥＢとの間に排水路３０が形成されるように、平面視コ字形状に水路形成壁３１が立設されている。そして、この水路形成壁３１の左右の後端は、案内体２３Ｅの後部２３ＥＡと案内部２３ＥＢとの境界線ＢＬの延長線上より少し手前にまで延びている。
【００２０】
なお、この平面視コ字形状の排水路３０の底面は水平面であるが、前記排水路３０の左右方向に延びた水路は左右方向の中間位置を頂部として左方及び右方に向けて徐々に低くなるように形成し、また前記排水路３０の前後方向に延びた左右の水路は前部を頂部として後方に向けて徐々に低くなるように形成してもよい。
【００２１】
そして、図７乃至図９に示すように、風路形成体２３の底板２３Ｂの左右の端部には、即ち左右方向では両側板２３Ｃの内側の根元部である底板２３Ｂの左右の端部であって、且つ前後方向では案内体２３Ｅの後部２３ＥＡと案内部２３ＥＢとの境界線ＢＬの延長線上に開口３３を開設する。この開口３３は平面視四角形状を呈して、底板２３Ｂ上に案内体２３Ｅが取り付けられた状態において、この開口３３の左右方向（Ｘ方向）の寸法は各開口３３の内側端が左右の排水路３０の中間に位置するような長さを有する。またこの開口３３の前後方向（Ｙ方向）の寸法は、各開口３３の前後方向の中心を通る左右方向の中心線と、案内体２３Ｅの後部２３ＥＡと案内部２３ＥＢとの境界線ＢＬの延長線を一致させた状態で前記中心線から夫々前後に一定長さを有する。この場合、水路形成壁３１の左右の後端は、前記各開口３３の上方に位置する。
【００２２】
また、風路形成体２３と熱交換器３との間には発泡スチロールなどの断熱材で構成された空間補填部材３４が配設されて、ハウジング２内に流入した室内空気が確実に熱交換器３を通過するようにしている。そして、この空間補填部材３４の左右端部には前記風路形成体２３の底板２３Ｂの左右端部に形成された各開口３３に連通する各連通孔３５が開設されている。前記案内体２３Ｅの後部２３ＥＡと案内部２３ＥＢとの境界線ＢＬの延長線上の案内体２３Ｅ下部には円筒状を呈すると共に下端部を細くして丸めた垂下がり案内部３６を形成し、この案内部３６が前記風路形成体２３の底板２３Ｂの各開口３３内に入るように配設する。そして、各連通孔３５は各開口３３の真下に位置し且つ各開口３３より大きくて、上方から見て各開口３３は各連通孔３５の内側に収まるように形成される。なお、この連通孔３５は上下中間位置において穴径をすぼめられ、上部が幅広の大径に形成されると共に下部が幅狭の小径に形成されて、上面開口より下面開口が小さくなるように形成され、この下面開口が熱交換器３の上方に位置するように形成される。
【００２３】
以上のように、風路形成体２３、空間補填部材３４、熱交換器３を配設したので、冷房運転時には熱交換器３が蒸発器として作用して、室内空気がハウジング２内に流入して熱交換器３で冷却されて冷気になり、上側吹出し通路２０を通って上吹出し口１０から室内へと吹出される際に、この冷気は風路形成体２３の案内体２３Ｅにより斜め上方へ案内されて、上吹出し口１０の下側周縁部は冷やされなくなる。このため、前面パネル６の上方に配設されると共に案内体２３Ｅの平面視コ字形状の水路形成壁３１の前部にその上部が係止する上前面パネル６Ａに、上吹出し口１０の開口周縁の下部から垂れ下がる露の量が顕著に少なくなるが、冷気により冷やされた案内体２３Ｅには露が付着することとなる。
【００２４】
この場合、案内体２３Ｅ上面に付着した露は排水路３０へと導かれ、更にこの排水路３０に案内されて、この排水路３０の左右の各後端部に連通した風路形成体２３の底板２３Ｂの各開口３３へ導かれる。このとき、排水路３０に案内された水は案内体２３Ｅ下部の垂下がり案内部３６を伝わって、確実に各開口３３へ導かれて、更に各連通孔３５へ導かれる。
【００２５】
従って、この各連通口３５の下面開口が前記熱交換器３に面しているので、各連通口３５を介して、水は確実に熱交換器３上に滴下するように構成され、この熱交換器３下方に配設されたドレンパン１５に回収される。そして、ドレンパン１５に回収されたドレン水をドレンホース接続部１５Ｂ及びドレンホースを介して滑らかに室内機１外部に排出することができる。
【００２６】
また、図４、図９及び図１０に示すように、前記ドレンパン１５下部と一体化された前面及び後面が開口された風路形成体３７により下側吹出し通路２１が形成される。この風路形成体３７の上壁３８前部には向きが変更できる複数枚の縦羽根４０が設けられている。
【００２７】
そして、前記通路形成体３７の後面開口内周縁部には軟質で変形可能な、例えば発泡ゴムから成るシール材４１が配設され、下側吹出し通路２１を開閉して下吹出し口１１を開閉する揺動可能なダンパー４２が前記シール材４１に当接可能に設けられる。なお、前記シール材４１は、正面視コ字形状を呈する連続した左右部分４１Ａ及び上部分４１Ｂと、これらとは離れて構成される下部分４１Ｃとから構成される。
【００２８】
また、図１０に示すように、正逆転可能な駆動モータである各ステッピングモータ４６の回転力はギアケース４７に収納された減速ギアにより減速され、その出力軸４８が挿入ピン４９に挿入されて共に回転可能に連結され、更にこの各挿入ピン４７は前記風路形成体３７の左右の両側壁３９に開設された支持孔４５を介して前記ダンパー４２の各軸受４３に挿入され、このダンパー４２が下側吹出し通路２１を開閉するように揺動可能に構成される。
【００２９】
両ステッピングモータ４６によって前記ダンパー４２を開閉する際には、制御装置（図示せず）が所定角度回転しなさいという指令を両ステッピングモータ４６に出力するので、両ステッピングモータ４６は同期して回転し、前記所定角度回転した後にその回転を停止する。この両ステッピングモータ４６が同期して回転してダンパー４２が閉じる場合には、シール材４１は軟質で変形可能であり、下側吹出し通路２１を閉じる際には、少しダンパー４２がシール材４１を圧縮するように押圧するようにするまで両ステッピングモータ４６は前記所定角度分、回転することによって、下吹出し口１１を確実に閉じるように作用する。
【００３０】
５０はダンパー４２が正しく閉じられたか否かを検出する検出スイッチとしてのリミットスイッチで、冷房運転の際にダンパー４２を閉めて、上吹出し口１０からのみ室内へ冷気を放出するが、このダンパー４２が何らかの理由で閉まらないとき、即ちリミットスイッチ５０がオンにならないときに、このリミットスイッチ５０からの出力を受けた制御装置が冷房運転を停止するように制御して、下吹出し口１１内部への結露を防止する。
【００３１】
以上のように構成された空気調和機の室内機１では、熱交換器３が加熱器として作用すると、暖房運転が行われることとなるが、使用者の選択により、クロスフローファン４又は５の一方のみ、また両クロスフローファン４、５の運転による暖房運転が可能となる。この場合、使用者の選択により、例えば両クロスフローファン４、５が運転すると、室内空気が前面吸込み口８と側面吸込み口９からハウジング２内に流入し、エアフィルター１４で除塵された後、熱交換器３で加熱されて、暖気になる。そして、暖気は背面風路ガイド板１７にて上下に分流してクロスフローファン４と５に導かれ、上側吹出し通路２０及び下側吹出し通路２１を通って上吹出し口１０及び下吹出し口１１からそれぞれ室内へと吹出される。
【００３２】
また、熱交換器３が冷却器として作用すると、冷房運転が行われることとなるが、使用者の選択により、クロスフローファン４のみの冷房運転、また両クロスフローファン４、５の運転による冷房運転が可能となる。この場合、使用者の選択により、例えば上のクロスフローファン４のみが運転すると、室内空気が前面吸込み口８と側面吸込み口９からハウジング２内に流入し、エアフィルター１４で除塵された後、熱交換器３で冷却され、冷気になる。そして、冷気は背面風路ガイド板１７及び上側ファンケース１８に案内されてクロスフローファン４に導かれ、上側吹出し通路２０を通って上吹出し口１０から室内へと吹出される。
【００３３】
このような冷房運転が使用者により選択された際に、制御装置から所定角度回転しなさいという指令を受けた両ステッピングモータ４６は同期して前記所定角度回転して、前記ダンパー４２を上方へ回転させ、下側吹出し通路２１を閉じる。このとき、両ステッピングモータ４６は同期して前記所定角度回転して、ダンパー４２がシール材４１を変形させて圧縮するまで移動させた後、前記両ステッピングモータ４６が停止するので、図１１に示すように、確実に下側吹出し通路２１をダンパー４２が閉じることができる。
【００３４】
即ち、図１１に示すように、揺動したダンパー４２は前記シール材４１の左右部分４１Ａ及び上部分４１Ｂに前方から押圧すると共に下部分４１Ｃに後方から押圧して、確実に下側吹出し通路２１をダンパー４２が閉じることができる。
【００３５】
従来は、冷房運転時にダンパーをその右部又は左部に設けた１個の駆動モータで回転させて下側吹出し通路２１を閉じるようにしていたので、左右方向に長いダンパー４２の駆動モータに近い部分と遠い部分との間でよじれが生じて、下側吹出し通路２１をダンパー４２で閉じられない箇所が発生することがあった。このため、熱交換器３を経ないで下側吹出し通路２１から除湿されていない湿った室温空気を下側吹出し通路２１のダンパー４２で閉じられない箇所から吸い込むと、下側ファンケース１９、下のクロスフローファン５などに結露した露が付着することとなって、好ましくない。また、上のクロスフローファン４に加えて、下のクロスフローファン５を運転をさせた際に、前述したように、下側ファンケース１９、下のクロスフローファン５などに付着した露を室内に放出することがあって、好ましくなかった。
【００３６】
しかし、以上の実施形態によれば、ダンパー４２が下側吹出し通路２１を確実に閉じることができ、このような問題点は解消することができる。
【００３７】
また、冷房運転時に、室内空気がハウジング２内に流入して熱交換器３で冷却されて冷気になり、上側吹出し通路２０を通って上吹出し口１０から室内へと吹出される際に、この冷気は風路形成体２３の案内体２３Ｅにより斜め上方へ案内されて、上吹出し口１０の下側周縁部は冷やされなくなる。
【００３８】
このため、上前面パネル６Ａに上吹出し口１０の開口周縁の下部から垂れ下がる露の量が顕著に少なくなるが、冷気により冷やされた案内体２３Ｅには露が付着することとなる。この場合、案内体２３Ｅ上面に付着した露は排水路３０へと導かれ、更にこの排水路３０に案内されて、風路形成体２３の底板２３Ｂの各開口３３へ導かれる。このとき、この排水路３０に案内された水は案内体２３Ｅ下部の垂下がり案内部３６を伝わって、確実に各開口３３へ導かれて、更に各連通孔３５へ導かれる。
【００３９】
従って、この各連通口３５の下面開口が前記熱交換器３に面しているので、各連通口３５を介して、水は確実に熱交換器３上に滴下するように構成され、この熱交換器３下方に配設されたドレンパン１５に回収される。そして、ドレンパン１５に回収されたドレン水をドレンホース接続部１５Ｂ及びドレンホースを介して滑らかに室内機１外部に排出することができる。
【００４０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４１】
１        室内機
２        ハウジング
３        熱交換器
・  クロスフローファン
１０      上吹出し口
１５      ドレンパン
２１      下側吹出し通路
４１      シール材
４２      ダンパー
４６      ステッピングモータ
４８      出力軸
５０      リミットスイッチ
【図１】
2010276247.tif 000003
【図２】
2010276247.tif 000004
【図３】
2010276247.tif 000005
【図４】
2010276247.tif 000006
【図５】
2010276247.tif 000007
【図６】
2010276247.tif 000008
【図７】
2010276247.tif 000009
【図８】
2010276247.tif 000010
【図９】
2010276247.tif 000011
【図１０】
2010276247.tif 000012
【図１１】
2010276247.tif 000013